(57)【要約】【課題】ドアホン子器の呼出釦を押してすぐに逃げる行為に対して適切に対応することができるインターホンシステムを提供する。【解決手段】カメラ装置６０を備えたドアホン子器Ｂと、室内に設置され所定の音声を出力するスピーカＳＰ及びカメラ装置６０により撮像された映像を記録するカメラ映像記録回路２３とを備えたインターホン親機Ａとを備えたインターホンシステムにおいて、ドアホン子器Ｂの呼出釦ｂが操作された時に、当該ドアホン子器Ｂが、バックトーン音を鳴動させると共に、インターホン親機Ａが、カメラ装置６０により撮像された映像の記録を開始する。ドアホン子器Ｂの呼出釦ｂが操作された後に所定時間以上に亘ってドアホン子器Ｂの近傍に人感センサＳによって人体が検知されている場合には、インターホン親機Ａは、スピーカＳＰにより呼出音を出力する。【選択図】図１
2010081239.tif 000002
【特許請求の範囲】
【請求項１】
カメラ装置を備えたドアホン子器と、
室内に設置され、所定の音声を出力する放音手段及び前記カメラ装置により撮像された映像を記録する記録手段とを備えたインターホン親機とを備えたインターホンシステムにおいて、
前記ドアホン子器の呼出釦が操作された時に、当該ドアホン子器が、バックトーン音を鳴動させると共に、前記インターホン親機が、前記カメラ装置により撮像された映像の記録を開始し、
前記ドアホン子器の呼出釦が操作された後に所定時間以上に亘って前記ドアホン子器の近傍に人体検知センサによって人体が検知されている場合には、前記インターホン親機は、前記放音手段により呼出音を出力し、前記ドアホン子器の呼出釦が操作された後に所定時間以上に亘って前記ドアホン子器の近傍に人体検知センサによって人体が検知されていない場合には、前記インターホン親機によっていたずら通知を行うこと
を特徴とするインターホンシステム。
【請求項２】
前記インターホン親機は、前記ドアホン子器の呼出釦が操作された後から前記バックトーン音を鳴動終了するまでの時間内に前記呼出音を出力することを特徴とする請求項１に記載のインターホンシステム。
【発明の詳細な説明】
【技術分野】
【０００１】
本発明は、ドアホン子器とインターホン親機との組み合わせによって構成され、ドアホン子器の操作に応じてインターホン親機によって宅内の住人を呼び出すインターホンシステムに関する。
【背景技術】
【０００２】
従来より、インターホン親機に人体検知センサを備えたインターホンシステムが知られている（下記の特許文献１を参照）。このインターホンシステムは、人体検知センサによって所定時間に亘って人体が検知され続けた場合には、インターホン親機で警報音を出力する。これにより、このインターホンシステムによれば、住居人に不審者を報知していた。
【特許文献１】特開平１１−１８０７４号公報
【発明の開示】
【発明が解決しようとする課題】
【０００３】
しかしながら、上述したインターホンシステムでは、人体検知センサを利用して検知した不審者として、ドアホン子器の呼出釦を押してすぐに逃げるという者には対応することはできなかった。
【０００４】
そこで、本発明は、上述した実情に鑑みて提案されたものであり、ドアホン子器の呼出釦を押してすぐに逃げる行為に対して適切に対応することができるインターホンシステムを提供することを目的とする。
【課題を解決するための手段】
【０００５】
本発明は、カメラ装置を備えたドアホン子器と、室内に設置され、所定の音声を出力する放音手段及び前記カメラ装置により撮像された映像を記録する記録手段とを備えたインターホン親機とを備えたインターホンシステムにおいて、上述の課題を解決するために、ドアホン子器の呼出釦が操作された時に、当該ドアホン子器が、バックトーン音を鳴動させると共に、インターホン親機が、カメラ装置により撮像された映像の記録を開始する。そして、インターホンシステムにおいて、ドアホン子器の呼出釦が操作された後に所定時間以上に亘ってドアホン子器の近傍に人体検知センサによって人体が検知されている場合には、インターホン親機は、放音手段により呼出音を出力し、ドアホン子器の呼出釦が操作された後に所定時間以上に亘ってドアホン子器の近傍に人体検知センサによって人体が検知されていない場合には、インターホン親機によっていたずら通知を行う。
【発明の効果】
【０００６】
本発明によれば、ドアホン子器の呼出釦が操作された時に、当該ドアホン子器によってバックトーン音を鳴動させると共に、インターホン親機によってカメラ装置により撮像された映像の記録を開始する。そして、ドアホン子器の呼出釦が操作された後に所定時間以上に亘ってドアホン子器の近傍に人体検知センサによって人体が検知されている場合には、インターホン親機により呼出音を出力する。これにより、本発明に係るインターホンシステムによれば、ドアホン子器の呼出釦を押下した者が呼出釦を押してすぐに逃げる者ではない場合には、所定時間に亘って人体検知センサによって人物がドアホン子器の前に存在することを判断して、インターホン親機から呼出音を鳴動させることができる。一方、本発明を適用したインターホンシステムによれば、ドアホン子器の呼出釦を押下した者が呼出釦を押してすぐに逃げる者である場合には、所定時間に亘っては人体検知センサによって人物がドアホン子器の前に存在しないことを判断して、インターホン親機からは呼出音を鳴動させない。その代わりに、インターホン親機は、いたずら通知を行って呼出釦を押して直ぐに逃げた者がいることを住戸人に認識させることができる。そのため、住戸人が都合の良いときに録画映像を確認することができるので、上記のようないたずらに煩わせることがない。
【０００７】
また、本発明によれば、インターホン親機によって、ドアホン子器の呼出釦が操作された後からバックトーン音を鳴動終了するまでの時間内に呼出音を出力するので、喩え来客が落ち着きのない人でバックトーン音の終了を確認してから玄関の周りを移動しても誤っていたずら通知をしてしまう不具合がない。
【発明を実施するための最良の形態】
【０００８】
以下、本発明の実施の形態について図面を参照して説明する。
【０００９】
本発明は、例えば図１に示すように構成されたインターホンシステムに適用される。このインターホンシステムは、室内に設置されたインターホン親機Ａと、玄関先に設置されたカメラ付きドアホン子器Ｂとを、２線式信号線Ｌによって接続した構成になっている。
【００１０】
このインターホン親機Ａは、カメラ付きドアホン子器Ｂの呼出釦ｂが操作されたときに、この呼出操作に対し、カメラ付きドアホン子器Ｂ側のカメラ装置６０の電源を立ち上げる。そして、インターホン親機Ａは、モニタテレビ２１に、カメラ装置６０によって撮像された外部映像を映し出す。その後、インターホンシステムは、インターホン親機Ａの通話釦ｂ１が操作された後に、インターホン親機ＡのマイクＭＩ１によって住居人から発せられた音声を取得してカメラ付きドアホン子器Ｂから出力させ、カメラ付きドアホン子器ＢのマイクＭＩ２によって訪問者から発せられた音声を取得してインターホン親機Ａから出力できる。これにより、インターホンシステムは、インターホン親機Ａ、カメラ付きドアホン子器Ｂに向かって話しかけるだけで通話ができるようになっている。
【００１１】
このようなインターホンシステムは、カメラ付きドアホン子器Ｂに人感センサＳを設けている。人感センサＳは、カメラ付きドアホン子器Ｂの前方を含む近傍箇所に存在する人を検知して人体検知信号を出力する。なお、人感センサＳは、超音波センサに限らず、他の検知方式のものであっても良い。
【００１２】
また、カメラ付きドアホン子器Ｂは、当該カメラ付きドアホン子器Ｂの前方を含む近傍箇所を撮像範囲とするカメラ装置６０を備えている。このように構成されたインターホンシステムは、詳細は後述するが、人感センサＳ及びカメラ装置６０をカメラ付きドアホン子器Ｂに備えることを利用して、カメラ付きドアホン子器Ｂの呼出釦ｂを押してすぐに逃げるという者に対応する動作を行う。
【００１３】
このような動作を実現するため、インターホン親機Ａには、通話回路１０と、モニタ回路２０と、通話信号と映像信号とを多重化し送受する多重化回路３０と、各部の動作を制御する信号処理部（ＣＰＵ）３１と、カメラ付きドアホン子器Ｂに駆動電源（カメラ電源と通話のための電源）を供給する直流電源供給回路３２と、カメラ付きドアホン子器Ｂからの呼出信号を検知したときに、チャイム音や音声メッセージといった呼出音を発生させる音発生回路３３及びスピーカＳＰと、住居人に操作される通話釦ｂ１及びモニタ釦ｂ２とを設けている。
【００１４】
また、通話回路１０には、住居人の通話のためのマイクＭＩ１と、マイクＭＩ１によって入力された音声で変調されるインターホン親機Ａ側のキャリアを出力するための発振・変調回路１１と、ミュート回路１２と、カメラ付きドアホン子器Ｂからの音声を出力するスピーカＳＰ１と、復調回路１３と、スピーカアンプ１４と、カメラ付きドアホン子器Ｂからの音声で変調されたカメラ付きドアホン子器Ｂ側のキャリアを選択し取り出すＢＰＦ１５とを備えている。モニタ回路２０には、モニタテレビ２１と、表示部駆動回路２２とを備えている。多重化回路３０とモニタ回路２０との間には、多重化回路３０からモニタ回路２０に出力される映像信号を記録するカメラ映像記録回路２３が設けられている。
【００１５】
カメラ付きドアホン子器Ｂには、各部を制御する制御回路４０と、２線式信号線Ｌを介して供給されるインターホン親機Ａからの電源を各部に供給する電源回路４１と、バックトーン音を発生させる音発生回路４２と、インターホン親機Ａとの間で音声信号を授受する通話回路５０と、呼出釦ｂを押下する人物を撮像可能なカメラ装置６０と、インターホン親機Ａとの間で信号を授受する多重化回路７０と、呼出釦ｂと、呼出釦ｂを押下する人物を検知する人感センサＳを設けている。
【００１６】
通話回路５０には、インターホン親機Ａからの音声を出力するスピーカＳＰ２と、復調回路５１と、スピーカアンプ５２と、インターホン親機Ａからの音声で変調された親機側のキャリアを選択し取り出すためのＢＰＦ５３と、モニタ時には玄関先の音を集音し、通話時には来訪者の音声が入力されるマイクＭＩ２と、カメラ付きドアホン子器Ｂ側のキャリアを出力し、マイクＭＩ２より入力された音声でカメラ付きドアホン子器Ｂ側のキャリアを変調した変調信号を出力する発振・変調回路５４と、ミュート回路５５とを備える。また、カメラ装置６０には、ＣＣＤカメラ６１と、映像信号処理回路６２とを備えている。
【００１７】
このように構成されたインターホンシステムは、カメラ付きドアホン子器Ｂの呼出釦ｂが操作された時に、当該カメラ付きドアホン子器Ｂが、バックトーン音を鳴動させる。このバックトーン音は、カメラ付きドアホン子器Ｂの呼出釦ｂが押されて、インターホン親機Ａによって住居人を呼び出していることを訪問者に通知する音声である。同時に、カメラ付きドアホン子器Ｂは、カメラ装置６０によって呼出釦ｂを操作した者を含む範囲で映像を撮像し、インターホン親機Ａは、カメラ映像記録回路２３によって、カメラ付きドアホン子器Ｂのカメラ装置６０により撮像された映像の記録を開始する。そして、カメラ付きドアホン子器Ｂの呼出釦ｂが操作された後に所定時間以上に亘ってカメラ付きドアホン子器Ｂの近傍に人感センサＳによって人体が検知されている場合には、インターホン親機Ａは、スピーカＳＰ１により呼出音を出力する。
【００１８】
具体的には、インターホンシステムは、図２に示すように、ステップＳ１において、インターホン親機Ａ及びカメラ付きドアホン子器Ｂが待機状態となっている時に、ステップＳ２にてカメラ付きドアホン子器Ｂの呼出釦ｂが押下されたことによって、ステップＳ３に処理を進める。
【００１９】
ステップＳ２にてカメラ付きドアホン子器Ｂの呼出釦ｂが押下された時、当該呼出釦ｂを押されたことに応じて、多重化回路７０は、呼出信号をインターホン親機Ａに出力する。また、制御回路４０は、呼出釦ｂが押された状態において人感センサＳが検知した人体検知信号を、多重化回路７０を介してインターホン親機Ａに送信させる。この多重化回路７０によってインターホン親機Ａに送信された呼出信号及び人体検知信号は、インターホン親機Ａの多重化回路３０にて受信される。また、人体検知信号は、人感センサＳによって人物を検知している期間において所定時間毎にインターホン親機Ａに送信される。
【００２０】
ステップＳ３において、カメラ付きドアホン子器Ｂは、制御回路４０によって音発生回路４２を制御して、スピーカアンプ５２及びスピーカＳＰ２を動作させて、バックトーン音を鳴動させる。また、このステップＳ３において、カメラ付きドアホン子器Ｂは、ＣＣＤカメラ６１及び映像信号処理回路６２によってカメラ付きドアホン子器Ｂの近傍の映像データを取得し、多重化回路７０を介してインターホン親機Ａに送信する。そして、インターホン親機Ａは、多重化回路３０によって受信される。この受信された映像データは、カメラ映像記録回路２３にて記録される。また、カメラ付きドアホン子器Ｂの呼出釦ｂが押下された直後の映像データは、所定時間ごとにカメラ装置６０によって撮像されてインターホン親機Ａに送信され、カメラ映像記録回路２３に記録される。
【００２１】
次のステップＳ４において、インターホン親機Ａは、信号処理部３１によって、呼出信号を受信してから所定時間（例えば２秒）が経過したか否かを判定し、所定時間が経過した場合に、ステップＳ５に処理を進める。ここで、信号処理部３１は、ステップＳ２にて呼出信号を受信した時にスタートさせたタイマ回路の計時時刻を参照して、ステップＳ４の判断を行う。この所定時間は、カメラ付きドアホン子器Ｂの呼出釦ｂを押してすぐに逃げる行為であるか否かを判定できる時間であり、インターホンシステムの設計時に予め設定されている。
【００２２】
ステップＳ５において、インターホン親機Ａは、信号処理部３１によって、所定時間（２秒）に亘って人感センサＳが人体を検知しているか否かを判定する。所定時間に亘って人感センサＳが人体を検知していると判定した場合にはステップＳ６に処理を進める。
【００２３】
ステップＳ６において、インターホン親機Ａの信号処理部３１は、音発生回路３３を動作させてスピーカＳＰから呼び出し音を鳴動させ、表示部駆動回路２２を制御して多重化回路３０によって受信した映像データをモニタテレビ２１に表示させる。また、信号処理部３１は、多重化回路３０によって受信している映像データをカメラ映像記録回路２３に記憶させる動作は継続させる。
【００２４】
ここで、インターホン親機Ａは、ドアホン子器Ｂの呼出釦ｂが操作された後からバックトーン音を鳴動終了するまでの時間内に呼出音を出力する。これにより、来客者がドアホン子器Ｂの呼出釦ｂを操作した場合には、人感センサＳによって人体検知がされていることを条件として確実に呼出をおこなうことができる。
【００２５】
このようにインターホンシステムは、呼出釦ｂが押下されてから所定時間に亘って人感センサＳによって人体が検知されていたので、呼出釦ｂを押してすぐに逃げる者によって呼出釦ｂが押下されてはいないと判断して、住居人を呼び出すことができる。
【００２６】
一方、所定時間に亘って人感センサＳが人体を検知していない場合には、ステップＳ７に処理を進める。このステップＳ７において、インターホン親機Ａは、住居人に対していたずら通知を行う。このいたずら通知は、ドアホン子器Ｂの呼出釦ｂを押してすぐに逃げる者がいたことを通知するものである。このいたずら通知は、スピーカＳＰから所定の通知音を鳴動させて行っても良く、所定のいたずら通知画面をモニタテレビ２１に表示させて行っても良い。このように、呼出釦ｂが押下されて所定時間に亘って人体が検知されていない場合には、呼出釦ｂを押してすぐに逃げる行為であると判定して、インターホン親機Ａによって呼出音を放音させない。
【００２７】
以上説明したように、本発明を適用したインターホンシステムによれば、カメラ付きドアホン子器Ｂの呼出釦ｂが操作された時に、当該カメラ付きドアホン子器Ｂによってバックトーン音を鳴動させると共に、インターホン親機Ａによってカメラ装置６０により撮像された映像の記録を開始する。そして、カメラ付きドアホン子器Ｂの呼出釦ｂが操作された後に所定時間以上に亘ってカメラ付きドアホン子器Ｂの近傍に人感センサＳによって人体が検知されている場合には、インターホン親機ＡのスピーカＳＰにより呼出音を出力する。
【００２８】
これにより、インターホンシステムによれば、カメラ付きドアホン子器Ｂの呼出釦ｂを押下した者が呼出釦ｂを押してすぐに逃げる者ではない場合には、所定時間に亘って人感センサＳによって人物がカメラ付きドアホン子器Ｂの前に存在することを判断して、呼出音を鳴動させることができる。一方、インターホンシステムによれば、カメラ付きドアホン子器Ｂの呼出釦ｂを押下した者が呼出釦ｂを押してすぐに逃げる者である場合には、所定時間に亘っては人感センサＳによって人物がカメラ付きドアホン子器Ｂの前に存在しないことを判断して、呼出音を鳴動させず、録画を行うことができる。このように呼出音を鳴動させない代わりに、インターホン親機Ａは、いたずら通知を行って逃げた者を住居人に通知し、録画された者を確認させることができる。
【００２９】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００３０】
【図１】本発明を適用したインターホンシステムの構成を示すブロック図である。
【図２】本発明を適用したインターホンシステムの動作を示すフローチャートである。
【符号の説明】
【００３１】
Ａ  インターホン親機
Ｂ  ドアホン子器
Ｌ  線式信号線
Ｓ  人感センサ
ｂ  呼出釦
ｂ１  通話釦
ｂ２  モニタ釦
１０  通話回路
１１  発振・変調回路
１２  ミュート回路
１３  復調回路
１４  スピーカアンプ
１５  ＢＰＦ
２０  モニタ回路
２１  モニタテレビ
２２  表示部駆動回路
２３  カメラ映像記録回路
３０  多重化回路
３１  信号処理部
３２  直流電源供給回路
３３  音発生回路
４０  制御回路
４１  電源回路
４２  音発生回路
５０  通話回路
５１  復調回路
５２  スピーカアンプ
５３  ＢＰＦ
５４  発振・変調回路
５５  ミュート回路
６０  カメラ装置
６１  ＣＣＤカメラ
６２  映像信号処理回路
７０  多重化回路
【図１】
2010081239.tif 000003
【図２】
2010081239.tif 000004